(57)【要約】【課題】ＦＨＣランプとＦＨＤランプとを組合わせて配置した照明器具において、互いの熱の影響を抑制しかつ消費効率の向上を図る。【解決手段】ＦＨＣランプ１とＦＨＤランプ２とを器具本体４に組込む際、ＦＨＣランプ１とＦＨＤランプ２との位置を同一平面上と異なる高さに配置するとともにＦＨＤランプ２の外径よりもＦＨＣランプ１の内径が大きい組合わせとし、またＦＨＣランプ１とＦＨＤランプ２のランプベース５、６の位置をそれぞれのランプの中心回りにずらしてランプベース間を離間させると同時に、ＦＨＣランプ１とＦＨＤランプ２の最冷点位置をそれぞれのランプの中心回りにずらして最冷点位置間も離間させ、またＦＨＣランプ１の内側に配置された反射板３にテーパ部を形成し、ＦＨＣランプ１からの光が器具本体４の中心方向に向けて通り抜けるための隙間をテーパ部とＦＨＤランプ２との間に形成した。【選択図】      図１
2005093142.tif 000002
【特許請求の範囲】
【請求項１】
高周波点灯専用の一重環形蛍光ランプ（ＦＨＣランプ）と同じく高周波点灯専用の二重環形蛍光ランプ（ＦＨＤランプ）とを中心を同じくして同時に器具本体内に組み込んだ照明器具において、前記ＦＨＣランプとＦＨＤランプの位置を同一平面上と異なる高さ位置にそれぞれ配置したことを特徴とする照明器具。
【請求項２】
前記ＦＨＣランプとＦＨＤランプとを器具本体内に組み込んだ照明器具において、ＦＨＤランプの外径寸法よりもＦＨＣランプの内径寸法が大きい環形ランプをそれぞれ組み込んだことを特徴とする請求項１記載の照明器具。
【請求項３】
前記ＦＨＣランプとＦＨＤランプとを器具本体内に組み込んだ照明器具において、ＦＨＣランプのランプベースとＦＨＤランプのランプベースとの位置を、それぞれのランプの中心回りにずらして異なる位置に配置し、ランプベース間を離間させることを特徴とする請求項１記載の照明器具。
【請求項４】
前記ＦＨＣランプとＦＨＤランプとを器具本体内に組み込んだ照明器具において、ＦＨＣランプの最冷点位置とＦＨＤランプの最冷点位置とを、それぞれのランプの中心回りにずらして異なる位置に配置し、最冷点位置間を離間させることを特徴とする請求項１記載の照明器具。
【請求項５】
前記ＦＨＣランプとＦＨＤランプとを器具本体内に組み込んだ照明器具において、前記器具本体に取り付けられた反射板のＦＨＣランプの内側に配置された部分の周面にテーパ部を形成したことを特徴とする請求項１記載の照明器具。
【請求項６】
前記ＦＨＣランプとＦＨＤランプとを器具本体内に組み込んだ照明器具において、前記反射板にテーパ部を形成したことによって、ＦＨＣランプからの光が器具本体の中心方向に向けて通り抜けるための隙間が前記テーパ部とＦＨＤランプとの間に形成されたことを特徴とする請求項５記載の照明器具。
【発明の詳細な説明】
【技術分野】
【０００１】
本発明は環形蛍光ランプを有する照明器具に関し、特に、高周波点灯専用の一重環形蛍光ランプと同じく高周波点灯専用の二重環形蛍光ランプを同時に器具本体内に搭載した照明器具に関する。
【背景技術】
【０００２】
従来、環形蛍光ランプを用いた照明器具は、いわゆる通常の環形蛍光ランプ（ＦＣＬランプ）を１本または複数本組み合わせて使用するもの、あるいは、光出力特性を向上させるための高周波点灯専用一重環形蛍光ランプ（ＦＨＣランプ）や高周波点灯専用二重環形蛍光ランプ（ＦＨＤランプ）を使用するもの、さらには、これらを組み合わせたものなどがある。
【０００３】
特に最近では、光出力特性の向上を図るとともに照明器具の実装スペースを小さくすることが要求され、高周波点灯専用の一重環形蛍光ランプ（ＦＨＣランプ）と高周波点灯専用の二重環形蛍光ランプ（ＦＨＤランプ）を組み合わせて搭載した照明器具が提案されている（例えば、特許文献１参照。）。
【０００４】
【特許文献１】特願２００３−１６５００１（[００１８]、図１）
【発明の開示】
【発明が解決しようとする課題】
【０００５】
上記したように、高周波点灯専用一重環形蛍光ランプ（ＦＨＣランプ）と高周波点灯専用二重環形蛍光ランプ（ＦＨＤランプ）とを組み合わせて搭載した照明器具においては、大きな直径を持って形成されたＦＨＣランプと小さな直径を持って形成されたＦＨＤランプとがほぼ同一平面上に配置されるため、組み合わせる際に寸法的に非常に距離が接近する組み合わせが発生し、その場合に、お互いの蛍光ランプから発生する熱の影響を最小限にする必要があった。また、蛍光ランプの発光効率を最大限に発揮させるために、それぞれ発光効率の良い蛍光ランプ同士を組み合わせる必要があった。
【０００６】
本発明は、上記課題を解決するためになされたもので、高周波点灯専用一重環形蛍光ランプ（ＦＨＣランプ）と高周波点灯専用二重環形蛍光ランプ（ＦＨＤランプ）とを組み合わせて配置した照明器具における互いの熱の影響を抑制し、消費効率の向上を図ることを目的とする。
【課題を解決するための手段】
【０００７】
本発明は、高周波点灯専用の一重環形蛍光ランプ（ＦＨＣランプ）と同じく高周波点灯専用の二重環形蛍光ランプ（ＦＨＤランプ）とを中心を同じくして同時に器具本体内に組み込んだ照明器具において、前記ＦＨＣランプとＦＨＤランプの位置を同一平面上と異なる高さ位置にそれぞれ配置するとともに、ＦＨＤランプの外径寸法よりもＦＨＣランプの内径寸法が大きい環形ランプをそれぞれ組み込んだ構成としている。
【０００８】
また、本発明は、前記ＦＨＣランプとＦＨＤランプとを器具本体内に組み込んだ照明器具において、ＦＨＣランプのランプベースとＦＨＤランプのランプベースとの位置を、それぞれのランプの中心回りにずらして異なる位置に配置し、ランプベース間を離間させるとともに、ＦＨＣランプの最冷点位置とＦＨＤランプの最冷点位置とを、それぞれのランプの中心回りにずらして異なる位置に配置し、最冷点位置間を離間させるようにしている。
【０００９】
また、本発明は、前記ＦＨＣランプとＦＨＤランプとを器具本体内に組み込んだ照明器具において、前記器具本体に取り付けられた反射板のＦＨＣランプの内側に配置された部分の周面にテーパ部を形成し、反射板にテーパ部を形成したことによって、ＦＨＣランプからの光が器具本体の中心方向に向けて通り抜けるための隙間が前記テーパ部とＦＨＤランプとの間に形成されるようにしている
【発明の効果】
【００１０】
本発明によれば、ＦＨＣランプとＦＨＤランプとの距離を離すことにより、また、それぞれのランプベースの位置を回転方向にずらして異なる位置にすることによってお互いの蛍光ランプから発生する熱の影響を受けにくくし、蛍光ランプの温度特性上、熱を受けると消費効率が悪くなる最冷点の位置が高温とならないようにすることができる。さらに、蛍光ランプ間の距離を持たせたことによって、蛍光ランプの取替えを容易に行うことができる。
【００１１】
また、ＦＨＣランプをＦＨＤランプより低い位置（図１）にした場合、ＦＨＣランプのみを点灯させるとＦＨＣランプからの光が反射板によって遮られかつＦＨＤランプが影となって器具本体の中心部が暗くなることから、反射板の形状にテーパ部を持たせることによって隙間を形成し、器具本体の中心部に光を回り込ませるようにして影の影響を押えることができる。
【発明を実施するための最良の形態】
【００１２】
次に、本発明の実施の形態について図面を参照して説明する。図１は本発明に係る照明器具の概要を示す斜視図である。
【００１３】
図１に示すように、本発明の照明器具は、反射板３を備えた器具本体４に高周波点灯専用一重環形蛍光ランプ（ＦＨＣランプ１）と高周波点灯専用二重環形蛍光ランプ（ＦＨＤランプ２）を同時に搭載した構造を有している。ＦＨＣランプ１とＦＨＤランプ２は同一平面上に配置するのではなく、図６に示すように、高さ方向に位置をＨだけずらして配置している。また、ＦＨＤランプ２の外径寸法Ｄ２よりもＦＨＣランプ１の内径寸法Ｄ１を大きくしたランプ同士を組み合わせて配置した構造となっている。
【００１４】
ここで、本発明に使用するＦＨＣランプ１とＦＨＤランプ２の概略の構造について説明する。まず、ＦＨＣランプ１は、図２の平面図に示すように環形ランプの両環端部にそれぞれフィラメント７ａ、７ｂを有し、この両環端部を樹脂製の円筒部材であるランプベース５でつないで保持された構造である。また、フィラメント７ｂは環形ランプ端からの距離がフィラメント７ａよりも高い位置（ハイマウント側）に設けられており、発光効率に関係する最冷点位置１０がハイマウント側の管端付根部の近傍にくるようになっている。
【００１５】
また、ＦＨＤランプ２は、図３の平面図に示すように小環形蛍光ランプ２ａと大環形蛍光ランプ２ｂとを同心状に配置した二重環形をなし、小環形蛍光ランプ２ａと大環形蛍光ランプ２ｂのそれぞれの両環端部を一体に取り巻いて保持する樹脂製のランプベース６によって連結保持されている。ランプベース６の一方の側の近傍には、小環形蛍光ランプ２ａと大環形蛍光ランプ２ｂの放電路を連結するランプブリッジ部９が設けられ、他方の側の環端部には、小環形蛍光ランプ２ａにフィラメント８ａが設けられ、また、大環形蛍光ランプ２ｂにフィラメント８ｂがそれぞれ設けられている。そして、最冷点位置１１はランプブリッジ部９の近傍である。
【００１６】
上記の構造を有するＦＨＣランプ及びＦＨＤランプを備えた本発明の照明器具は、図１のようにＦＨＣランプ１とＦＨＤランプ２の位置を器具本体４に対してそれぞれ異なる高さ位置に配置することにより、同一平面上に配置した場合にはＦＨＣランプ１とＦＨＤランプ２の距離が非常に接近した組み合わせとなるのに比べ、本発明によればＦＨＣランプ１とＦＨＤランプ２との間の距離を持たせることができる。
【００１７】
次に、図１で説明した照明器具においてＦＨＣランプ１とＦＨＤランプ２を組み合わせる際、図４に示すように、ランプベース５とランプベース６を異なる位置（例えば、器具本体の中心位置に対する角度θが９０度〜１８０度）となるように配置する。すなわち、少なくともお互いのフィラメント位置から充分離れた位置に配置する。
【００１８】
このように配置することにより、それぞれのランプ表面の中で最も温度が高くなるフィラメント付近の熱の影響を互いに受けないようにすることができる。また、図５に示すように、蛍光ランプの温度特性上、熱を受けると消費効率が悪くなる最冷点位置１０（ＦＨＣランプ１側）及び最冷点位置１１（ＦＨＤランプ２側）が高温とならないようにすることができる。最冷点位置１０はランプベース５の近傍に、また最冷点位置１１はランプベース６の近傍にあるため、ランプベース５とランプベース６間の距離を離すことによって最冷点位置１０と最冷点位置１１間の距離も同時に離すことができる。
【００１９】
使用する蛍光ランプは、ＦＨＤランプ２の外径よりＦＨＣランプ１の内径が大きいランプの組み合わせになっているため、消費効率（消費電力１Ｗ当りの光束：ランプから出る光の量）を上げることができる。環形ランプの場合、相対的に１本当りの消費電力が大きい方が消費効率が良いため、ＦＨＣランプとＦＨＤランプの組み合わせの場合、同程度の外径であればＦＨＤランプの方が消費電力が大きいのでＦＨＣランプを外側にした組み合わせの方が消費効率が良くなる。
【００２０】
次に、図１で説明した照明器具において、図６の断面図に示すように反射板３にテーパ部１２を設け、ＦＨＣランプ１からの光１３がＦＨＤランプ２と反射板３との間の隙間を通り抜けるようにしている。このように、反射板３にテーパ部１２を設けたことによってＦＨＤランプ２の内側に光１３が届くようになり、ＦＨＣランプ１のみを点灯させた場合に生ずるＦＨＤランプ２の影の影響を最小限にすることができる。
【００２１】
すなわち、図６のように天井に照明器具を取り付けてＦＨＣランプ１をＦＨＤランプ２よりも高い位置Ｈにした場合、ＦＨＣランプ１のみを点灯させると反射板３にテーパ部１２が設けられていない場合には器具本体の中心部に向かうＦＨＣランプ１からの光１３が反射板３によって遮られるとともにＦＨＤランプ２が影となって器具本体の中心部が暗くなる。これを避けるために反射板３にテーパ部１２を形成し、ＦＨＤランプ２の影を押えることによって器具本体の中心部に光１３が回り込むようにしている。
【００２２】
テーパ部１２は、反射板３のＦＨＣランプ１の内側に配置された部分の周面に形成したもので、反射板３にテーパ部１２を形成したことによって、ＦＨＣランプ１からの光１３が器具本体の中心方向に向けて通り抜けるための隙間がテーパ部１２とＦＨＤランプ２との間に形成されたことになり、光効率の良い照明器具が得られる。
【産業上の利用可能性】
【００２３】
ＦＨＣランプとＦＨＤランプとを組み合わせた照明器具の場合、相対的に１本当りの消費電力が大きい方が消費効率が良いため、同程度の外径であればＦＨＤランプの方が消費電力が大きい。したがって、本発明のように、ＦＨＣランプが外側となる組み合わせの方が消費効率が良くなり、省エネルギー効果の大きい照明器具を提供することができる。
【図面の簡単な説明】
【００２４】
【図１】本発明に係る照明器具の概要を示す斜視図である。
【図２】ＦＨＣランプの平面図である。
【図３】ＦＨＤランプの平面図である。
【図４】本発明の実施の形態を示す斜視図である。
【図５】本発明の実施の形態を示す平面図である。
【図６】本発明の実施の形態を示す断面図である。
【符号の説明】
【００２５】
１    ＦＨＣランプ
２    ＦＨＤランプ
２ａ    小環形蛍光ランプ
２ｂ    大環形蛍光ランプ
３    反射板
４    器具本体
５、６    ランプベース
７ａ、７ｂ    フィラメント
８ａ、８ｂ    フィラメント
９    ランプブリッジ部
１０、１１    最冷点位置
１２    テーパ部
１３    光
【図１】
2005093142.tif 000003
【図２】
2005093142.tif 000004
【図３】
2005093142.tif 000005
【図４】
2005093142.tif 000006
【図５】
2005093142.tif 000007
【図６】
2005093142.tif 000008